(57)【特許請求の範囲】
【請求項１】
培養液を入れた栽培槽及び貯槽を有し、
上記栽培槽内の培養液を上記貯槽内へ所要量排出することと、上記貯槽内の培養液を上記栽培槽内へ戻すこととを選択的に行う培養液給排装置を備え、
上記栽培槽内に、植物をそれぞれ植えた多数枚の定植パネルを、上記栽培槽内の培養液の貯槽への所要量排出後に該植物が培養液から露出すると共に根が培養液に浸漬する水耕栽培の状態をとり、且つ上記貯槽内の培養液の栽培槽への戻し後に該植物が培養液中に没入する害虫駆除用浸漬の状態をとるように、ホルダーを介して所定深さ位置に保持した、
水耕栽培槽における害虫駆除用植物浸漬装置。
【請求項２】
上記栽培槽が前後に長い上面開口の横長箱形であり、上記多数枚の定植パネルが前後方向にパネル同士隣接状態で順次着脱自在に連結され、また上記ホルダーが上記各定植パネルを前後方向に移動自在に保持するものであり、
さらに、上記定植パネルを、その一部を残りと分離又は連結する作業と共に上記ホルダーに沿って前後方向に移動させる移動駆動装置を設けた、
請求項１に記載の水耕栽培槽における害虫駆除用植物浸漬装置。
【請求項３】
上記栽培槽が前後に長い上面開口の横長箱形であり、上記多数枚の定植パネルが前後方向にパネル同士隣接し且つ隣り合うパネルが折り畳み可能の状態で分離不能に順次連結され、また上記ホルダーが上記一連の定植パネルを前後方向に移動自在に保持するものであり、
さらに、上記栽培槽の前端部に、上記一連の定植パネルを槽壁を越えて槽外へ案内可能の案内レールを配設すると共に、上記一連の定植パネルを上記ホルダー及び案内レールに沿って往復移動させる移動駆動装置を備えた、
請求項１に記載の水耕栽培槽における害虫駆除用植物浸漬装置。
【発明の詳細な説明】
【０００１】
【発明の属する技術分野】
本発明は、培養液を入れた栽培槽内に、植物を植えた多数枚の定植パネルを、各植物の根を培養液に浸した状態で、支持して栽培を行う水耕栽培槽において、植物に付着した害虫を駆除するため植物を定植パネルと共に培養液中に浸漬する装置に関する。
【０００２】
【従来の技術】
従来、この種の植物浸漬装置として、栽培槽内の培養液面に植物を植えた発砲スチロール製の多数枚のフロート型定植パネルを浮かべた水耕栽培槽の一側に別の貯槽を設置し、上記栽培槽内の培養液の相当量をポンプにより貯槽に移し、それにより栽培槽内の水位とともに定植パネルを降下させ、所要低水位に降下したとき定植パネルを浮上不能にロックした後上記貯槽内の培養液を栽培槽内に戻し、それによりロックされた定植パネルを液中に埋没させ、所要時間浸漬後、上記ロックを解除して定植パネルを元の水耕栽培位置に浮上させるものが提案された。
【０００３】
しかし、上記の提案装置は、多数枚の定植パネルを浮上不能にロックするために複雑な装置が必要となり、貯槽の設備費とともにコストがかさむ欠点があった。
【０００４】
【発明が解決しようとする課題及びその解決手段】
本願第１発明は、設備費のうち従来装置のロック装置にかかわるコスト高を低減することを課題とする。
上記課題解決の手段として、本願第１発明は、
培養液を入れた栽培槽及び貯槽を有し、
上記栽培槽内の培養液を上記貯槽内へ所要量排出することと、上記貯槽内の培養液を上記栽培槽内へ戻すこととを選択的に行う培養液給排装置を備え、
上記栽培槽内に、植物をそれぞれ植えた多数枚の定植パネルを、上記栽培槽内の培養液の貯槽への所要量排出後に該植物が培養液から露出すると共に根が培養液に浸漬する水耕栽培の状態をとり、且つ上記貯槽内の培養液の栽培槽への戻し後に該植物が培養液中に没入する害虫駆除用浸漬の状態をとるように、ホルダーを介して所定深さ位置に保持した、
水耕栽培槽における害虫駆除用植物浸漬装置を提案する。
【０００５】
上記第１発明において、前後方向に長い栽培槽内に多数枚の定植パネルを前後に並列状態で保持させた場合、それら多数の定植パネルに苗を植えつける作業及び多数定植パネル上に成長した植物を収穫する作業は重労働となる。
そこで、本願第２及び第３発明は、上記のような重労働を、一定の作業位置にとどまって行うことにより軽減することを課題とする。
【０００６】
上記課題解決の手段として、本願第２発明は、
上記第１発明における栽培槽が前後に長い上面開口の横長箱形であり、上記多数枚の定植パネルが前後方向にパネル同士隣接状態で順次着脱自在に連結され、また上記ホルダーが上記各定植パネルを前後方向に移動自在に保持するものであり、
さらに、上記定植パネルを、その一部を残りと分離又は連結する作業と共に上記ホルダーに沿って前後方向に移動させる移動駆動装置を設けた、
水耕栽培槽における害虫駆除用植物浸漬装置を提案し、
【０００７】
また本願第３発明は、
上記第１発明における栽培槽が前後に長い上面開口の横長箱形であり、上記多数枚の定植パネルが前後方向にパネル同士隣接し且つ隣り合うパネルが折り畳み可能の状態で分離不能に順次連結され、また上記ホルダーが上記一連の定植パネルを前後方向に移動自在に保持するものであり、
さらに、上記栽培槽の前端部に上記一連の定植パネルを槽壁を越えて槽外へ案内可能の案内レールを配設すると共に、上記一連の定植パネルを上記ホルダー及び案内レールに沿って往復移動させる移動駆動装置を備えた、
水耕栽培槽における害虫駆除用植物浸漬装置を提案する。
【０００８】
上記第１発明における「多数枚の定植パネル」は、互に独立しているもの、互に前後方向に順次着脱自在に連結されているもの、又は前後に隣り合うパネルが折り畳み可能の状態で互に分離不能に連結されているもの等、その他種々の構造のものを含む。
【０００９】
上記「定植パネル」は、発砲スチロール製、木製等のフロート型のもの、及び合成樹脂製、金属製等の沈下型のものを含む。
また、上記「ホルダー」は、フロート型定植パネルの場合は、害虫駆除用浸漬時に該パネルの上昇（浮上）のみを押えるものでもよいが、パネルの上昇と降下を押えるものもよい。また沈下型パネルの場合は、該パネルの沈下のみを押えるものもよいが、パネルの上昇と降下を押えるものがよい。
【００１０】
上記第２及び第３発明における上記「定植パネルを前後方向に移動自在に保持するホルダー」には、上記第１発明における「ホルダー」を前後方向に延長した板状のものであって、定植パネルの左右両端部を保持する位置で栽培槽側壁に固定したもの、あるいは定植パネルの中間部を保持するもの等がある。
【００１１】
上記第２及び第３発明における定植パネルの「移動駆動装置」としては、定植パネルに連結したロープ、ワイヤロープ、ベルト、チェン等の駆帯を巻取り車に手動又はモータ駆動により巻き取って往復移動させるもの、栽培槽の前端及び後端に配置した前、後駆帯車に定植パネルと連結した無端駆帯を掛け回し、手動又はモータ駆動により循環走行させるもの、その他種々のものが用いられる。
以下図面を参照して本願発明の実施例について説明する。
【００１２】
【実施例】
図１、２において、栽培槽（１）は前後方向に長い上面開口の横長箱形槽で、槽（１）内に培養液（２）を入れてあり、この栽培槽（１）の下側に、同じく横長箱形の貯槽（３）を２階構造に連設してある。
【００１３】
上記栽培槽（１）と貯槽（３）間の培養液給排装置として、栽培槽（１）の一側壁下部に排出口（４）を設け、該排出口（４）に接続されたバルブ（６）つき排出管（５）の開口先端を貯槽（３）の開口上面にのぞませ、該バルブ（６）の開放により栽培槽（１）内の培養液（２）を水頭により貯槽（３）内に排出するようにしてある。
【００１４】
一方、栽培槽（１）の他側の支持台（７）上にポンプ（８）を設置し、該ポンプ（８）の吸入口に接続された給水管（９）を貯槽（３）内の底面近くまで延長すると共に、ポンプ（８）の吐出口に接続された給水管（１０）を、栽培槽（１）の側壁上端近くに設けた給入口（１１）に接続し、該ポンプ（８）の駆動により貯槽（３）内の培養液を栽培槽（１）内に戻すこととなる。
【００１５】
なお、上記栽培槽（１）及び貯槽（３）には、その水位を保つためオーバーフロー口をそれぞれ設けるとよい。
【００１６】
上記貯槽（３）は底板（１２）を傾斜させ、その最深部に上記管（９）の先端を位置させるとよい。
【００１７】
上記のような栽培槽（１）内の培養液（２）液面に、本例では発砲スチロール製長方形板状の多数枚のフロート型定植パネル（１３）…を前後方向に直交する向きでパネル同士隣接状態に浮かべ、一方栽培槽（１）の相対する左右側壁内面のほぼ中間深さ位置に、該側壁の前後方向ほぼ全長に及ぶ長さで小幅板状のホルダー（１４）、（１４）をそれぞれ内側フランジ状に突設すると共に、両ホルダー（１４）、（１４）を上記各定植パネル（１３）…の各左右両端部の上に位置させ、それにより培養液（２）の水位が上昇しても各定植パネル（１３）…がホルダー（１４）、（１４）によりそれ以上の浮上を阻止される。その際各定植パネル（１３）…はそれ自身の浮力により沈下することもない。（１５）…は定植パネルの定植孔である。
【００１８】
上記ホルダー（１４）、（１４）の固定位置は、培養液（２）の液面を栽培槽（１）のほぼ中間深さまで下げたとき、各定植パネル（１３）…に植えられた植物（Ｐ）…が液面から上に露出すると共に各根を培養液（２）中に浸す通常の水耕栽培の状態をとり、且つ液面を栽培槽の開口上端近くまで上げたとき、上記植物（Ｐ）…が培養液中に完全に没入する害虫駆除用浸漬の状態をとるような深さ位置である。
【００１９】
次に、各定植パネル（１３）…の移動装置について説明する。図４に示すように金属、合成樹脂等の弾性材からなるＣ形ピンの一端にフック（１７）を、他端に上記フック（１７）と係止すべき受け（１８）を形成してなる連結クリップ（１６）を多数用意し、これら連結クリップ（１６）…を、各定植パネル（１３）…の隣接部に２個づつの割合で、パネル隣接端部にあけた孔にピンを挿入し、フック（１７）を受け（１８）に弾性的に係止することにより各パネル（１３）…を順次一連に着脱自在に連結する。
【００２０】
上記一連の定植パネル（１３）…における最前端（図１、２における最右端）の定植パネル（１３）上面に、アイピン（１９）、（１９）を適宜左右間隔をあけて突設し、該アイピン（１９）、（１９）に前進用ワイヤロープ（２０）を分岐ワイヤロープ（２１）、（２１）を介して連結すると共に、該ワイヤロープ（２０）をプーリー（２２）、（２３）を介して前方へ引き出し、引き出し端部を、栽培槽（１）一側の支持台（２４）上に設置されたハンドル（２６）つき前進用巻取りドラム（２５）に止着し、他方、上記アイピン（１９）、（１９）に後退用ワイヤロープ（２７）を長い分岐ワイヤロープ（２８）、（２８）を介して連結し、該分岐ワイヤロープ（２８）、（２８）をプーリー（２９）、（２９）を介して、又ワイヤロープ（２７）をプーリー（３０）を介して後方へ引き出し、ワイヤロープ（２７）の引き出し端部を上記支持台（７）上に設置されたハンドル（３２）つき後退用巻取りドラム（３１）に止着してある。
【００２１】
本例では、水耕栽培時に植物（Ｐ）…への通風を良くするため、栽培槽（１）の四周側壁のほぼ上部半体を図示のように外方へ適宜傾斜する傾斜壁（３３）…に形成してある。
（３４）、（３４）は、図３に示すように上記ホルダー（１４）、（１４）から下方へ定植パネル（１３）の厚さの２〜３倍の間隔をあけて該ホルダー（１４）、（１４）と同様に設けられたストッパーで、培養液排出時に定植パネル（１３）…が必要以上に降下するのを防止する。
【００２２】
上例の作用を操作とともに次に説明する。図１、２、３のように培養液（２）面が槽（１）内のほぼ中間深さ位置にある水耕栽培の状態において、まず害虫駆除用浸漬を行う場合は、ポンプ（８）の始動により貯槽（３）内の培養液を管（９）、（１０）を経て給入口（１１）から栽培槽（１）内に供給する。液面が上昇するが各定植パネル（１３）…はホルダー（１４）、（１４）により浮上を阻止されてその位置に止まり、各植物（Ｐ）…は次第に液中に水没していく。各植物（Ｐ）…が十分に水没したらポンプ（８）を停止し、その状態で所要時間の植物浸漬を行う。
【００２３】
浸漬終了後は、バルブ（６）を開いて栽培槽（１）内の液を排出口（４）から管（５）を経て貯槽（３）内に排出する。各植物（Ｐ）…が液中から十分露出したらバルブ（６）を閉じ、その状態で水耕栽培を再開する。
【００２４】
次に、成育した植物を収穫する場合は、まず作業員の１人が栽培槽（１）の後端部一側に立ち、他の作業員が後退用巻取りドラム（３１）のハンドル（３２）を握る。収穫作業員が最後位の定植パネル（１３）上の植物から収穫を行ったら、収穫ずみのパネル（１３）を隣のパネルとの連結クリップ（１６）、（１６）を外した後ホルダー（１４）、（１４）から外して槽（１）外へ取り出す。次にハンドル（３２）を回して巻取りドラム（３１）を回転させ、ワイヤロープ（２７）、（２８）、（２８）を巻き取って最前端のパネル（１３）を後方へパネル１枚分の幅だけ移動させ、それにより最前端のパネル（１３）に押されて他のパネル（１３）…が同じ幅だけ後退する。そこで収穫作業員が新たなパネル（３）の収穫を行う。以下収穫、収穫ずみパネル（１３）の取り出し、パネル群のパネル幅分の後退を繰り返して全パネルの収穫を行う。なお最前端のパネル（１３）は槽（１）内に残しておく。槽外へ取り出したパネル（１３）は所要の清掃を施す。
【００２５】
次に、苗の植えつけを行う場合は、上記巻取り作業員が前進用巻取りドラム（２５）のハンドルを握る。まず植えつけ作業員が最前端のパネル（１３）に苗植えつけを行ったら、巻取りドラム（２５）を回して上記パネル（１３）をパネル１枚分の幅だけ前方へ移動させ、ついで新たなパネル（１３）を槽（１）内に入れ、ホルダー（１４）、（１４）の下に係合した後、最前端のパネル（１３）と連結クリップ（１６）、（１６）により連結し、該新たなパネル（１３）に苗を植えつける。以下同様にパネルのパネル幅分の前進、新たなパネルの連結、苗植えつけを繰り返して全パネルへの苗植えつけを行う。
【００２６】
上例のフロート型定植パネル（１３）…に代え沈下型定植パネルを使用する場合は、上例のホルダー（１４）、（１４）に代え横断面コ字状のチャンネル材を栽培槽側壁内面に固定し、そのコ字形構内に定植パネルの両端部を移動自在に係合する。その場合、収穫及び苗植えつけ作業において定植パネルのホルダーへの係脱を容易にするため、上記チャンネルホルダーの後端部におけるコ字状溝の上部側板に、パネル１枚分の幅に相当する長さ範囲の切欠を設けておく。
【００２７】
次に、図５、６の他の浸漬装置つき水耕栽培槽について説明する。本例に使用される定植パネル（１３ａ）…は、各パネルを隣接状態でヒンジ（１６ａ）（１６ａ）、…により分離不能に一連に連結したものであって、その際上記ヒンジ（１６ａ）（１６ａ）、…は、各隣り合うパネル（１３ａ）（１３ａ）、…が山形に屈曲して折り畳まれるものと、谷形に屈曲して折り畳まれるものとを交互に配置してある。
【００２８】
上記の一連の定植パネル（１３ａ）…を栽培槽（１ａ）の内外へ移動させる装置は次のようである。前進用巻取りドラム（２５ａ）から引き出したワイヤロープ（２０ａ）をプーリー（２３ａ）、（２２ａ）、（２２ａ）を経て培養液（２ａ）中を各パネル（１３ａ）…の下で後方へ延長し、延長端を最後尾パネル（１３ａ）の下面に突設されたアイピン（１９ａ）、（１９ａ）に分岐ワイヤロープ（２１ａ）、（２１ａ）を介して連結し、また後退用巻取りドラム（３１ａ）から引き出したワイヤロープ（２７ａ）を最後尾パネル（１３ａ）の上面に突設されたアイピン（１９ａ’）、（１９ａ’）に分岐ワイヤロープ（２８ａ）、（２８ａ）を介して連結してある。
【００２９】
一方、上記ホルダー（１４ａ）、（１４ａ）の前端部分を所要長切除すると共に最前の定植パネル（１３ａ）１枚分を除き、この切除部分から案内レール（３５ａ）を立設している。上記案内レール（３５ａ）は、上記プーリー（２２ａ）、（２２ａ）、（２３ａ）の上位において、傾斜壁（３３ａ）と平行に延長して下端部を、最前端パネル（１３ａ）の下面よりやや下位まで液（２ａ）中に所要長進入させた横断面Ｌ字状の左右一対の傾斜レール（３６ａ）、（３６ａ）と、上記傾斜レールと連続し、傾斜壁（３３ａ）の上縁を越えつつ下向きに湾曲する同じく横断面Ｌ字状の湾曲レール（３７ａ）、（３７ａ）と、上記湾曲レールと連続してフロア上に垂直に延長する横断面Ｌ字状の垂直レール（３８ａ）、（３８ａ）とからなる。
【００３０】
上記各レールにおける横断面Ｌ字形の一辺は、定植パネル（１３ａ）…の両端部を摺動自在に受支するレール面として、Ｌ字形の他辺は、定植パネル（１３ａ）…の摺動方向を規制する案内面としてそれぞれ働く。
【００３１】
収穫の場合は、収穫作業員が栽培槽（１ａ）の前端部一側に立ち、移動作業員が前進用巻取りドラム（２５ａ）のハンドル（２６ａ）を握る。最前端のパネル（１３ａ）の収穫を行ったら巻取りドラム（２５ａ）を回して一連のパネル（１３ａ）…をパネル１枚分の幅だけ前進させ、そこで次のパネルの収穫を行い、以下収穫と前進を順次繰り返していく。収穫の終ったパネルは後続のパネルに後押しされて傾斜レール（３６ａ）、（３６ａ）上を間欠的に昇っていき、ついで湾曲レール（３７ａ）、（３７ａ）を経て垂直レール（３８ａ）、（３８ａ）に降下していき、そこで各パネル（１３ａ）がジグザク状に折り畳まれる。パネルの清掃は湾曲レール（３７ａ）、（３７ａ）の段階で行ってもよい。
【００３２】
苗植えつけの場合は、後退用巻取りドラム（３１ａ）を回して折り畳まれた一連のパネル（１３ａ）…を案内レール（３５ａ）に沿って引き伸しながら液（２ａ）に着水させ、ついでホルダー（１４ａ）、（１４ａ）下に係合させる。最後尾のパネル（１３ａ）がホルダーに係合した段階で苗植えつけを行い、ついで一連のパネル（１３ａ）…をパネル１枚分の幅だけ後退させ、そこで次のパネルに苗植えつけを行い、これを繰返して苗植えつけを完了する。
【００３３】
【発明の効果】
本願第１発明によれば、栽培槽内に定植パネルを所定深さ位置に保持し、その状態で栽培槽内の培養液を増減することにより水耕栽培及び害虫駆除用浸漬を行うから、従来装置に必要であった複雑なロック装置を除くことができ、設備費の低減を実現できるのである。
【００３４】
本願第２発明によれば、上記第１発明の効果に加え、多数枚の定植パネルを保持する前後に長い大型栽培槽において、上記多数枚の定植パネルを、その一部を他と分離又は連結しつつ移動駆動装置により前後方向に移動させることにより、作業員が一定の作業位置にとどまったままで、多数枚の定植パネルに苗を植えつける作業及び多数枚定植パネルから収穫する作業を継続的に行うことができるようになり、それにより労働の軽減を実現できるのである。
【００３５】
本願第３発明によれば、上記第２発明の効果に加え、連結された一連の定植パネルをそのまま移動装置により栽培槽内、外へ移動させることができ、それにより各定植パネルの苗植えつけ及び収穫を行う際に、定植パネルの一部を他と分離して栽培槽外へ取り出し、また取り出した定植パネルを栽培槽内に持ちこんで他と連結する作業を省略でき、労働の軽減をさらに促進できるのである。
【図面の簡単な説明】
【図１】本願発明による浸漬装置つき水耕栽培槽の一部省略平面図である。
【図２】同上縦断側面図である。
【図３】図２のＩＩＩ−ＩＩＩ線拡大断面図である。
【図４】連結ピースの拡大斜面図である。
【図５】他の浸漬装置つき水耕栽培槽の一部省略平面図である。
【図６】同上縦断側面図である。
【符号の説明】
１、１ａ  栽培槽
２、２ａ  培養液
３、３ａ  貯槽
５、５ａ  排出管
６、６ａ  バルブ
８、８ａ  ポンプ
９、１０、９ａ、１０ａ  給水管
１３、１３ａ  定植パネル
１４、１４ａ  ホルダー
１６  連結クリップ
１６ａ  ヒンジ
２５、２５ａ  前進用巻取りドラム
３１、３１ａ  後退用巻取りドラム
Ｐ  植物
３５ａ  案内レール
【図１】
0003610489.tif 000002
【図２】
0003610489.tif 000003
【図３】
0003610489.tif 000004
【図４】
0003610489.tif 000005
【図５】
0003610489.tif 000006
【図６】
0003610489.tif 000007